(57)【特許請求の範囲】
【請求項１】
カード受容領域（１４）を定める枠体（１２）および前記カード受容領域（１４）の内端を横切るバックプレーン（２０）を有するタイプのカードケージ（１０）であって、該カードケージの前記枠体（１２）は、回路カード（１６）を挿入する複数対の案内溝（２４）を有し、前記回路カード（１６）を前記カード受容領域（１４）内に完全に挿入すると前記回路カード（１６）の回路および前記バックプレーン（２０）の対応する回路を電気的に相互接続するカードケージ用電源モジュール（１００）において、
該電源モジュールは、
入力電源を受けて調整すると共にＤＣ電源を配電する電気および電子部品（１０４）を有し、前記バックプレーン（２０）と関係する前縁（１０６）および前記カードケージ（１０）の前記枠体（１２）の前記案内溝（２４）と関係する前記前縁（１０６）と直交する側縁（１０８）を含む回路カード（１０２）と、
前記電気および電子部品（１０４）に接続され、前記回路カード（１０２）を前記カード受容領域（１４）に完全に挿入するとき前記バックプレーン（２０）の電源接続部（３２）に取り付けられた相補電気コネクタ（３０）と嵌合する位置、寸法および形状で前記前縁（１０６）に取り付けられ、ＡＣ電源を受け且つＤＣ電源を供給する電気接続を確立する電気コネクタ（１１０）とを備え、
前記回路カード（１０２）に取り付けられた前記部品（１０４）は、前記回路カード（１６）に隣接する前記カード受容領域（１４）に挿入可能にする高さを有し、
前記回路カード（１０２）、前記カードに取り付けられた部品（１０４）および前記コネクタ（１１０）は、前記カードケージ（１０）の前方から前記カード受容領域（１４）の電源モジュール部（３４）に挿入され、前記カードケージ（１０）のＡＣ電源入力および前記バックプレーン（２０）へのＤＣ電源の送電の電気接続を自動的に確立するモジュール（１００）とし、該モジュールは、単一のユニットとして前記カード受容領域（１４）から挿入および抜去可能な単一パッケージの前記カードケージ（１０）に必要とするＤＣ電源を供給するのに十分であることを特徴とするカードケージ用電源モジュール。
【請求項２】
前面（１８）から挿入されることにより各ドータカード部にドータカード（１６）のアレイを保持するカード受容領域（１４）を定める枠体（１２）と、
該カード受容領域（１４）の内端を横切り且つ前記ドータカードの対応するものに関連する電気コネクタ（２２）を有し、前記カード受容領域（１４）に隣接し該カード受容領域（１４）に完全に挿入されたとき前記ドータカード（１６）と電気的接続を確立するように取り付けられ、前記ドータカード（１６）の挿入を案内して完全に挿入されると前記ドータカード（１６）の回路と電気的に相互接続される回路を有するバックプレーン（２０）と、
電源に関連し、前記バックプレーン（２０）の電源モジュール部（３４）における前記カード受容領域（１４）に隣接する電源接続部（３２）に取り付けられ、前記バックプレーン（２０）の電気コネクタ（３０）で終わる電源ケーブル（２８）により供給されるＡＣ電源入力をフィードスルーするように構成された前記電気コネクタ（３０）と、
電源モジュール（１００）とを備え、
該電源モジュールは、
電源入力を受けてＤＣ電源に調整する電気および電子部品（１０４）を有し、前記バックプレーン（２０）に関連する前縁（１０６）および前記枠体（１２）の対応する複数対の案内溝（２４）と対応する前記前縁（１０６）と直交する側縁（１０８）を含む回路カード（１０２）と、
前記電気および電子部品（１０４）に電気的接続された前記カード前縁（１０６）に取り付けられ、前記回路カード（１０２）を前記電源モジュール部（３４）における前記カード受容領域（１４）内に完全に挿入されると、前記バックプレーン（２０）の電気コネクタ（３０）と嵌合して電気的接続を確立して電源入力を受けＤＣ電源を送電する位置、寸法及び形状とされた電気コネクタ（１１０）とを含み、
前記回路カード（１０２）に取り付けられた前記部品（１０４）は、前記ドータカード（１６）に隣接する前記カード受容領域（１４）に挿入可能にする高さを有し、
前記回路カード（１０２）、前記カードに取り付けられた部品（１０４）および前記コネクタ（１１０）は、カードケージ（１０）の前面から前記カード受容領域（１４）の前記電源モジュール部（３４）に挿入されるモジュール（１００）を構成し、そこから取り外し可能であり、前記カードケージ（１０）に完全に挿入すると、電源入力および前記バックプレーン（２０）へのＤＣ電源の送電のため電気的接続を自動的に確立し且つ前記モジュール（１００）は、単一ユニットとして前記カード受容領域（１４）から挿入および抜去可能な単一パッケージにおける前記カードケージ（１０）が必要とするＤＣ電源を十分供給可能であることを特徴とするカードケージシステム。
【発明の詳細な説明】
【０００１】
【発明の属する技術分野】
本発明は電子機器、特に多数の基板（プリント基板）を使用し、内蔵電源により動作電力が供給される形式のモジュール型電子機器に関する。
【０００２】
【従来の技術】
カードケージと称され、多数の基板が平行に配置されて相互に電気的に相互接続された電子機器が知られている。このカードケージシステムは、共通バックプレーン（背面板）又はマザーボード（親基板）により相互接続されたアレイ状のドータカード（子基板）を有する。このバックプレーンは、一般にドータカード受容部の一番奥の枠体（フレームワーク）に配置されている。このカード受容部を包囲する枠体の側壁の案内溝がドータカードを挿入する際のガイドとなり、各ドータカードの前（先）端の電気コネクタがバックプレーン上に取付けられている相手コネクタと位置合せされて、ドータカードを完全挿入すると嵌合を保証する。バックプレーン及びドータカードに配置接続されている各種電気及び電子部品又はデバイスは一般に直流電源を必要とする。しかし、オフィス等の電源は、交流商用電源であるので、この交流電源を直流電源に変換するコンバータを必要とする。
【０００３】
一般に、このバックプレーンへの直流電源は、商用電源が供給されるサブアセンブリから供給される。即ち、このサブアセンブリで商用交流電源を直流電源に変換する。この直流（ＤＣ）駆動サブアセンブリは、カード受容部と反対側の筐体後部から着脱自在にするのが従来一般的な方法であった。即ち、ワイヤ束を介して交流電源をサブアセンブリが受け、サブアセンブリ用コネクタとバックプレーン用コネクタの直接接続により、或は他のワイヤ束により、バックプレーンとの接続を行っていた。
【０００４】
しかし、カードケージに電源を前面から供給し且つ容易に着脱可能にするのが好ましい。
【０００５】
更にまた、バックプレーン及び交流（ＡＣ）電源入力との電気的接続を確立する電源をカードケージに単に挿入するのみで実現するのが好ましい。
【０００６】
また、斯る電源モジュールが電源モニタ回路を含み、更に安全回路及び過渡電源又はノイズからカードケージの電子部品及びデバイスを保護する保護回路を含むのが好ましい。
【０００７】
【発明が解決しようとする課題】
従って、本発明の目的は、ユニット状に構成され、カードケージのカード受容部の前面から着脱可能なカードケージ用電源モジュールおよびカードケージに必用なＤＣ電源を供給可能なカードケージシステムを提供することである。
【００１２】
【課題を解決するための手段】
上述した技術的課題を解決し、上述の目的を達成する為に、本発明のカードケージ用電源モジュールは、カード受容領域を定める枠体および前記カード受容領域の内端を横切るバックプレーンを有するタイプのカードケージであって、該カードケージの前記枠体は、回路カードを挿入する複数対の案内溝を有し、前記回路カードを前記カード受容領域内に完全に挿入すると前記回路カードの回路および前記バックプレーンの対応する回路を電気的に相互接続するカードケージ用電源モジュールにおいて、
該電源モジュールは、
入力電源を受けて調整すると共にＤＣ電源を配電する電気および電子部品を有し、前記バックプレーンと関係する前縁および前記カードケージの前記枠体の前記案内溝と関係する前記前縁と直交する側縁を含む回路カードと、
前記電気および電子部品に接続され、前記回路カードを前記カード受容領域に完全に挿入するとき前記バックプレーンの電源接続部に取り付けられた相補電気コネクタと嵌合する位置、寸法および形状で前記前縁に取り付けられ、ＡＣ電源を受け且つＤＣ電源を供給する電気接続を確立する電気コネクタとを備え、
前記回路カードに取り付けられた前記部品は、前記回路カードに隣接する前記カード受容領域に挿入可能にする高さを有し、
前記回路カード、前記カードに取り付けられた部品および前記コネクタは、前記カードケージの前方から前記カード受容領域の電源モジュール部に挿入され、前記カードケージのＡＣ電源入力および前記バックプレーンへのＤＣ電源の送電の電気接続を自動的に確立するモジュールとし、該モジュールは、単一のユニットとして前記カード受容領域から挿入および抜去可能な単一パッケージの前記カードケージに必要とするＤＣ電源を供給するのに十分である。
【００１３】
また、本発明のカードケージシステムは、前面から挿入されることにより各ドータカード部にドータカードのアレイを保持するカード受容領域を定める枠体と、
該カード受容領域の内端を横切り且つ前記ドータカードの対応するものに関連する電気コネクタを有し、前記カード受容領域に隣接し該カード受容領域に完全に挿入されたとき前記ドータカードと電気的接続を確立するように取り付けられ、前記ドータカードの挿入を案内して完全に挿入されると前記ドータカードの回路と電気的に相互接続される回路を有するバックプレーンと、
電源に関連し、前記バックプレーンの電源モジュール部における前記カード受容領域に隣接する電源接続部に取り付けられ、前記バックプレーンの電気コネクタで終わる電源ケーブルにより供給されるＡＣ電源入力をフィードスルーするように構成された前記電気コネクタと、
電源モジュールとを備え、
該電源モジュールは、電源入力を受けてＤＣ電源に調整する電気および電子部品を有し、前記バックプレーンに関連する前縁および前記枠体の対応する複数対の案内溝と対応する前記前縁と直交する側縁を含む回路カードと、
前記電気および電子部品に電気的接続された前記カード前縁に取り付けられ、前記回路カード）を前記電源モジュール部における前記カード受容領域内に完全に挿入されると、前記バックプレーンの電気コネクタと嵌合して電気的接続を確立して電源入力を受けＤＣ電源を送電する位置、寸法及び形状とされた電気コネクタとを含み、
前記回路カードに取り付けられた前記部品は、前記ドータカードに隣接する前記カード受容領域に挿入可能にする高さを有し、
前記回路カード、前記カードに取り付けられた部品および前記コネクタは、カードケージの前面から前記カード受容領域の前記電源モジュール部に挿入されるモジュールを構成し、そこから取り外し可能であり、前記カードケージに完全に挿入すると、電源入力および前記バックプレーンへのＤＣ電源の送電のため電気的接続を自動的に確立し且つ前記モジュールは、単一ユニットとして前記カード受容領域から挿入および抜去可能な単一パッケージにおける前記カードケージが必要とするＤＣ電源を十分供給可能である。
【００１６】
【発明の実施の形態】
以下、本発明のカードケージ用電源モジュールおよびカードケージシステムの好適実施の形態について、添付図面を参照して詳述する。
【００１７】
先ず、図１及び図２を参照して説明する。同図に示す電子機器であるカードケージシステム１０は、枠体１２を有し、その前面１８から内部に挿入されるドータカード１６のアレイを保持するカード受容領域１４が内部に形成される。バックプレーン２０がカード受容領域１４の内端（奥）に、これと直交して配置され、バックプレーン２０のカード受容領域１４に隣接してドータカード１６の各々と対応して電気コネクタ２２が取付けられている。このバックプレーンコネクタ２２は、ドータカード１４をカード受容領域１４内に完全に挿入すると、ドータカード１４の先端に取付けられているコネクタと嵌合するよう構成されている。枠体１２は、内壁２６に案内溝対２４を有し、ドータカード１６の露出する側端を受けて、挿入されるドータカードを案内する。これにより、ドータカード１６の端縁に設けたコネクタをバックプレーンコネクタ２２と位置合せ（アライメント）して、ドータカード１６が完全に挿入されたときドータカード１６及びバックプレーン２０に形成された電気回路を相互接続する。
【００１８】
また、図１及び図２には本発明による電源モジュール１００も、上カバーを取外した状態で電源モジュール取付部３４に示す。また、冷却ファンユニット５０が冷却モジュール部５８に、空気流量計測バッフル板９０がカードケージ枠体１２に取付けられている。
【００１９】
電力ケーブル２８はＡＣ電源を電子機器１０へ供給する。このＡＣ電源は少なくとも電源ボード４６を通過する。ケーブル３６が電源モジュール１００の電源モジュール部３４に関連する電源接続部３２のバックプレーン電源コネクタ３０の１つへ延びている。電源ボード４６は、好ましくは電源スイッチ、電源遮断器及びＥＭＩフィルタ等の周知部品を含み、必要に応じて更にＡＣ電源をＤＣ電源に変換する電源回路を含んでいてもよい。
【００２０】
冷却（又は空冷）ファンユニット５０は、シャーシ５４に取付けられたファンユニット５２を含み、ドータカード１６、バックプレーン２０及び電源モジュール１００の電気及び電子部品及びデバイスが発生する熱を強制空冷する為の空気を循環させる。この冷却ファンユニット５０の有孔端壁５６は、カードケージ枠体１２の外側壁の開口と共に空気を吸入する。また有孔バッフル板９０は、枠体１２の有孔内側壁フレーム２６と協働してカード受容部１４及びドータカード１６の各種電気及び電子部品への空気流を計測する。枠体１２の外壁も有孔であり、空気流の出口として作用する。電源モジュール１００と同様に、冷却ファンユニット５０はハンドル６０により冷却モジュール部５８に前面１８からカードケージ枠体１２内に挿入可能に構成されている。枠体１２の案内溝が冷却ユニット５０のシャーシ５４の側縁と、ドータカード１６と案内溝２４と同様に協働する。
【００２１】
次に、図２乃至図４を参照して説明する。バックプレーン２０は、電源モジュール部３４と位置合せされて取付けられた電源コネクタ３０により、電源接続部３２を提供する。この電源コネクタ３０の１つは、ＡＣ電源ケーブル２８に接続された電源導体３６の端部に成端された端子に対してフィードスルー（貫通）機能を付与する。電源コネクタ３０は、電源接続部３２において、電源モジュール１００の対応する電源コネクタ１１０と嵌合するよう配置且つ位置合せされている。
【００２２】
電源モジュール１００は、参照符号１０４で示す種々の電気及び電子部品のアレイを有する回路カード１０２を含んでいる。回路カード１０２は相互に直交する先（前）縁１０６と側縁１０８を含んでいる。この回路カード１０２は、カード受容部１４を形成する対向内部側壁枠２６に取付けられている案内溝２４に沿って側縁１０８が案内されてカード受容部１４内に挿入される寸法形状に形成されている。モジュール電源コネクタ１１０は、挿入端である前縁１０６に取付けられており、各回路部品より成る電気回路に接続された電気端子を有する。電気及び電子部品１０４は、ＡＣ入力電源をＤＣ出力電源に変換してバックプレーン２０へ供給する回路を含んでいてもよい。好ましくは、電源モジュール１００は上下カバーを有し、取扱時の保護及び電気的絶縁を行う。
【００２３】
回路カード１０２に取付けられた電気及び電子部品１０４は、十分コンパクト構造とすると共に、カード受容部１４に電源モジュール１００の挿入又は着脱を可能にするように選択されている。これにより、電源モジュール１００はカードケージ又は電子機器１０の前面１８から電源モジュール部３４に挿入できると共に取外し可能になり、且つ電源モジュールコネクタ１１０が電源モジュール１００をカード受容部１４に完全挿入されると、バックプレーン２０の電源コネクタ３０と自動的に接続され、カードケージ１０から電源モジュール１００を取外すと、この接続は自動的に切断されるので別途配線又は接続を行う必要はない。
【００２４】
図４はカード１０４の前縁１０６にある電源モジュールコネクタ１１０の１つがバックプレーン２０の電源コネクタ３０と位置合せされ、嵌合直前の状態を示している。嵌合すると、これらコネクタ３０及び１１０の電気端子が相互に接触することとなる。両コネクタ３０、１１０の端子が相互接続されると、バックプレーン２０を介して電源入力ケーブル２８の導体３６から供給される電源入力を電源モジュール１００に供給し、同時に電源モジュール１００からバックプレーン２０への動作電源供給の為の電気的相互接続をも行う。また、コネクタ３０、１１０は電源モジュール１００をバックプレーン２０間の信号伝送用相互接続も確立する。
【００２５】
また、電源モジュール１００は、回路カード１０２の後縁１１４に取付けられたフロント（前面）パネル１１２を含み、このフロントパネル１１２はカード受容部１４の前面１８と平行して電源モジュール部３４を形成する。
【００２６】
次に、図３、図５及び図６を参照する。フロントパネル１１２の両端には１対のイジェクタ１１６が設けられている。このイジェクタ１１６は外方へ操作すると、ピボットピン１１８の回りに旋回可能である。各イジェクタ１１６は係合部１２０を含み、それを旋回操作すると電源モジュール部３４の近傍の枠体１２の前面部４０と協働して電源モジュール１００をある程度外方へ移動させる。これにより嵌合状態にあったバックプレーン電源コネクタ３０と電源モジュールコネクタ１１０の端子の係合を外す（図４参照）。また図５及び図６に示す如く、前面１８に沿って枠体１２内のねじ開口４２内に取付ねじ１２２があり、電源モジュール１００をカードケージ１０内の所定位置に完全挿入可能にする。
【００２７】
図７に冷却ファンユニット５０の詳細図を示す。ファンユニット（図２参照）５２がユニット５０のシャーシ５４に取付けられている。この冷却ファンユニット５０がカードケージ１０の枠体１２に完全挿入されると、バッフル板９０（図２参照）の空気流通孔のパターンの中心にファンユニット５２が配置される。同図には、またファンユニット５２の制御回路６２が示され、電気コネクタ６４が冷却ユニット５０の内端においてシャーシパネル６６上に取付けられる。電気コネクタ６４は、所謂ドロワ型コネクタであって、フック及びパネル構成で、相補ドロワコネクタ４８（図２参照）と嵌合するよう構成されている。配線６８によりコネクタ６４のコンタクトを制御回路６２の対応回路に接続する。
【００２８】
相補ドロワ型コネクタ４８（図２）はバックプレーン２０上に直接取付けてもよく、或は枠体１２に取付けてもよい。しかし、少なくとも回路に電気的接続され、冷却ファンユニット５０の内端においてインターフェイスする冷却ファンユニット５０のコネクタと全ての電源及び制御の相互接続を確立する。ドロワ型コネクタは、他の開口とアライメントして受入れらるコネクタ６４の一体アライメントポスト７０を使用し、フローティング状態で取付けられた一方のコネクタが電気コネクタの嵌合前にコンタクトを正しくアライメントするように位置を調整する。従来の嵌合するドロワ型コネクタ組立体の一例は、米国ペンシルバニア州ハリスバーグ市のアンプインコーポレーテッド社より部品番号第２１１７５９−１及び２１１７５８−１のプラグ及びリセプタクルコネクタとして市販されているＡＭＰ  ＭＥＴＲＩＭＡＴＥ（商標）コネクタである。
【００２９】
冷却ファンユニット５０のファン回転速度は、その制御回路６２により制御される。カードケージ１０内の温度センサ７２（図２参照）が出力空気温度をモニタして制御回路６２に信号をフィードバックしてファン電圧を設定し、これによりファン速度を制御又は設定する。この方法による利点は、ファンの１回転速度に比例して増加するファンノイズ（雑音）が最大冷却を必要としない状態（即ち、使用するカード数が少ない場合又は低周囲温度で使用する場合）下では大幅に低減可能である。
【００３０】
図２のバッフル板９０は、内側壁枠２６に沿ってカード受容部１４の外側の枠１２に固定されている。バッフル板９０は、カード受容部１４の各ドータカード位置に関連する一連の穴９２を有し且つ案内溝２４間に配置され、ドータカードの電気及び電子部品（図示せず）に対する空気流通路を形成する。また、バッフル板９０は、カード受容部１４の電源モジュール部３４に隣接して大きなスロット９４を有し、このカードケージ又は電子機器１０の動作時に最大の熱エネルギーを発生する電源モジュール１００に対して最大空気流を生じるような寸法に選定している。従って、バッフル板９０は、単一のファンユニット５０からの空気流を測ってドータ回路カード１６のみならず電源モジュール１００をも同時に冷却（空冷）するよう構成している。カードケージ枠体１２の背面板４４の穴は、このカードケージの強制空気流の出口を形成する。この排気される空気の温度センサ７２が背面板４４の略中央に設けられるのが好ましい。
【００３１】
冷却ユニット５０は、例えば米国コネチカット州ファーミントン市のイービーエムインダストリー社から製品番号１０２２４ＮＴでＤＣ  ＶＡＲＩＯＦＡＮの商標のもと市販されているファンを含んでいてもよい。このファンは、２４ボルトの直流電源（１２ボルト乃至２８ボルトの範囲）で８．５乃至１８ワットの消費電力で動作し、直径約１８０ｍｍ以下、幅約５０ｍｍ、重量約２ポンド以下である。好ましくはエアフィルタを使用して、吸入空気中のホコリを取り除き、同時にカードケージ１０内へ、又はそれから放射される電磁ノイズをシールドする。制御回路６２は、例えば米国マサチュセッツ州ハーバード市のコントロール  リソーシズ社からＳＭＡＲＴＦＡＮの商標で、ＯＭＮＩＳ−ＤＣ型、製品番号０２４５２ＯＡで市販されている速度制御回路であってもよい。この制御回路としては同社から市販する製品番号Ｐ１  リモート温度プローブ付きＳＭＡＲＴＦＡＮセンサ温度アラームを使用してもよい。このアラームは光アイソレータによるフォトトランジスタを使用し、制御回路の論理回路に対して信号を送る。標準直流電圧２４ボルトの制御回路は、ファンに対して最小ノイズの直流制御電圧を印加して、カードケージ１０が必要とする放熱量に応じて空気流量を変化するようにファン電圧を可変する。
【００３２】
次に、図８を参照して説明する。電源モジュール１００は完全に内蔵電源モジュールに必要とするいくつかの電源回路関連の機能を果す電気及び電子部品を有する。これら回路及び部品は過電圧保護、過電流保護、過度温度上昇保護、オペレータに対する温度上昇警告を出す温度アラーム、入力及び出力電源遮断用モータ回路、オペレータがリモート電流遮断を可能にするグローバルディスエーブル回路、電源状態回路及び冷却モジュール制御回路に関連する温度アラームセンサに応答する温度状態回路等を提供する。これら回路により、電源モジュール１００が正常なパワーアップ及びパワーダウン（電源回路の起動及び停止）シーケンスを行って、バックプレーン２０及び冷却ファンユニット５０に対して必要とする直流電源を供給すると共に、ドータ回路カード１６に搭載された各種マイクロプロセッサに対して指令（命令）を送って電源遮断の際の重要データの記憶指示及び異常温度上昇状態時のオペレータへの警報等を可能にする。
【００３３】
電源モジュール１００は、図３及び図８に示す如くＤＣ−ＤＣコンバータ１２４を有し、その上にヒートシンク（放熱器）１２６が取付けられており、バッフル板９０の計測スロット９４を介して流れる冷却ファンユニット５０からの強制冷却空気流とアライメントされた放熱フィンを有し、効果的に放熱する。斯るＤＣ−ＤＣコンバータ１２４の例は、米国マサチュセッツ州アンドーバ市のバイコー社からＭｉｎｉＭｏｄ  ＤＣ−ＤＣコンバータとして市販（製品番号ＶＩ−Ｊ６３ＣＷ及びＶＩ−Ｊ６１ＣＷ）されており、３００ボルトの入力を夫々２４ボルト及び１２ボルト出力に変換する１００ワットの出力電力を有する。またＶＩ−２００ファミリ製品は３００ボルト入力を５ボルト出力に変換する。製品番号ＶＩ−２６０ＣＶはモジュール当たり２００ワットであり、ＶＩ−２６０ＣＶとＶＩ−Ｂ６０ＣＶを組合わせると、１対で３００ワットの出力電力を有する。ＶＩ−２００ファミリの製品は全て過電圧及び異常温度上昇保護機能を有する。これらコンバータと共に使用す製品番号２１１３及び０４３０６のヒートシンクは、その下にＧＲＡＦＯＩＬパッド（製品番号１７７４及び０４３０８）を有し、ヒートシンクとコンバータのインターフェイスの熱伝導性を最適化するよう、上述のバイコー社から市販されている。典型的な電力と出力電圧は＋５ボルトで２５０ワット、＋１２ボルトで９６ワット、−１２ボルトで７２ワット、＋２４ボルトで７２ワット、−２４ボルトで７２ワット、−５．２ボルトで１５６ワット及び−２ボルトで１４ワットである。また、オプションとして、バックアップ用電池及び関連充電回路が本発明の電源モジュール１００に設けられ、カードケージ内の任意場所又は電源モジュール１００に取付け可能な電池を有し、カードケージ１０の電源遮断時に、マイクロプロセッサにより重要データを記憶する＋５ボルトのスタンドバイ（補助）回路を提供する。
【００３４】
図３及び図８の実施例に示す如く、ＡＣ入力電源は、先ず整流ダイオード１２８を有する全波ブリッジ状整流回路により整流され、次に平滑コンデンサ１３０を介してＤＣ−ＤＣコンバータ１２４に送られる。他の例としては、米国ゼネラルインスツルメント社が製品番号ＫＢＬ００５で市販する半導体整流器がある。或は個別整流器及び平滑コンデンサ１３０の代りに、上述した米国バイコー社の製品番号ＶＩ−ＨＡＭ−ＣＭのハーモニック減衰モジュールを使用し、ＡＣ入力電圧８５乃至２６４ボルトをＤＣ３００ボルト出力に変換してＤＣ−ＤＣコンバータに入力することも可能である。斯るコンポーネントをカードケージ１０の電源ボード４６（図１及び図２参照）に置換して、電源モジュール１００に代ってスペースをセーブして小型化を実現することが可能である。
【００３５】
電源モジュール１００の他のコンポーネントは、各種回路の抵抗、コンデンサ及びダイオードを含み、更に１個以上のチョーク１３２を含みコモンモード電流を高レベルで減衰させ電磁ノイズを低減する。また、サーミスタ１３４は電源モジュール１００の温度を検知する。更にヒューズホルタ組立体１３６はＤＣ−ＤＣコンバータ１２４の過電流保護を行う。
【００３６】
好ましくは、電源モジュール１００は上述したバイコー社が市販するＶＩ−Ｊ１００ファミリのコンバータ等により、−２ボルト出力電圧を出力する。或はスペースが問題となる場合には、電界効果トランジスタ（ＦＥＴ）１３８とコイル１４０を使用して、−５．２ボルトを−２ボルト出力に変換する電源を構成してもよい。また、電源モジュール１００はフロントパネル１１２の開口１４４に１対の発光ダイオード（ＬＥＤ）１４２を配置してＤＣ出力及びカードケージ１０の温度状態を示すインジゲータとする。好ましくは、カバープレート（図示せず）を固定ポスト１４６等により、回路カード１０２上の回路部品及びコンポーネントの上方に固定してもよい。
【００３７】
以上、本発明の電子機器の好適実施形態を添付図を参照して説明したが、これは単に本発明の例示にすぎず、本発明の要旨を逸脱することなく種々の変形変更が可能であることが理解できよう。
【００３８】
【発明の効果】
本発明のカードケージ用電源モジュールおよびカードケージシステムは、複数のドータ回路カードを枠体に挿入すると共に電源モジュールも低背（ロープロファイル）構造として枠体に挿入可能とする。案内溝に沿って完全挿入すると、枠体の背面板に必要な全ての電気的接続が確立されて、電源モジュールのみならず回路カードに形成された電子回路にも動作電源を供給することができる。この電源モジュールは一体形成された診断及び制御機能を有する。更に、本発明の電子機器には挿入可能な強制冷却ユニットも含み、電源モジュール及び回路カードが発生する熱を共通且つ効果的に放熱することが可能になる。従って本発明の電子機器は、複数のドータ回路カード、電源モジュール及び冷却モジュールを案内溝に沿って着脱自在且つ容易に構成でき、相互接続する配線を行う必要がないという実用上の顕著な効果を有する。
【図面の簡単な説明】
【図１】  いくつかのドータ回路カード及び電源モジュールが挿入されて上面カバーを取外した本発明による電子機器（カードケージ）の好適例の斜視図。
【図２】  ドータ回路カード、電源モジュール、冷却モジュール及びバッフル板を引き抜いた図１の電子機器の斜視図。
【図３】  図１の電子機器に使用する電源モジュールの一例の斜視図。
【図４】  図１の電子機器のドータ回路カードの前端部及びバックプレーンの部分拡大平面図。
【図５】  図３の電源モジュールの排出機構の拡大平面図。
【図６】  図５の排出機構の枠体からの排出動作説明図。
【図７】  図１の電子機器に使用する冷却ユニットの拡大図。
【図８】  図１の電子機器の電源ユニット、バックプレーン及びＡＣ入力電源の関連を示すブロック図。
【符号の説明】
１０      モジュール型電子機器（カードケージ）
１２      枠体
１６      ドータ（回路）カード
２２      （相互）接続コネクタ
２０      バックプレーン
２４      案内溝
５０      冷却ユニット
１００    （電源）モジュール
【図１】
0003817298.tif 000002
【図２】
0003817298.tif 000003
【図３】
0003817298.tif 000004
【図４】
0003817298.tif 000005
【図５】
0003817298.tif 000006
【図６】
0003817298.tif 000007
【図７】
0003817298.tif 000008
【図８】
0003817298.tif 000009